(57)【特許請求の範囲】
【請求項１】
互いに通信可能な第１携帯端末装置および第２携帯端末装置を含むネットワークシステムであって、
前記第１携帯端末装置は、
前記第２携帯端末装置と無線通信可能な装置を、前記第２携帯端末装置の近傍において探索させるための探索指示を、前記第１携帯端末装置が前記第２携帯端末装置と通話可能または通信可能となったことに応じて、前記第２携帯端末装置へ送信する第１送信手段を備え、
前記第２携帯端末装置は、
前記探索指示を受信する第１受信手段と、
受信した前記探索指示に基づいて、前記第２携帯端末装置と無線通信可能な装置である通信可能装置を、前記第２携帯端末装置の近傍において探索するための処理を行なう探索手段と、
前記探索手段により前記通信可能装置が探索された場合、前記通信可能装置が探索されたことを示す探索通知を、前記第１携帯端末装置へ送信する第２送信手段とを備え、
前記第１携帯端末装置は、さらに、
前記探索通知を受信するための第２受信手段を備え、
前記第１送信手段は、前記第２受信手段が前記探索通知を受信した場合、前記通信可能装置を制御するための制御指示を、前記第２携帯端末装置へ送信し、
前記第２携帯端末装置は、さらに、
前記第１受信手段が前記制御指示を受信した場合、受信した前記制御指示に基づいて、前記通信可能装置を制御する制御手段を備え、
前記ネットワークシステムは、画像データを記憶するサーバーをさらに含み、
前記制御指示は、前記サーバーから前記画像データを取得するためのアクセス情報を示し、
前記第２携帯端末装置の前記制御手段は、前記制御指示に基づいて、前記通信可能装置に、前記アクセス情報を使用させて前記サーバーから前記画像データを取得させるための制御を行なう、ネットワークシステム。
【請求項２】
前記通信可能装置は、画像を表示可能な装置であり、
前記制御指示は、指定した画像を、前記通信可能装置に表示させるための指示であり、
前記第２携帯端末装置の前記制御手段は、前記制御指示に基づいて、前記通信可能装置に前記指定した画像を表示させるための制御を行なう、請求項１に記載のネットワークシステム。
【請求項３】
前記第１携帯端末装置と前記第２携帯端末装置との間では、音声、前記制御指示および画像の少なくとも１つがパケット通信によりやりとりされる、請求項１または２に記載のネットワークシステム。
【請求項４】
前記第１受信手段、前記探索手段、前記第２送信手段、前記第２受信手段および前記制御手段の少なくとも１つが行なう処理は、前記第１携帯端末装置と、前記第２携帯端末装置とが通話可能である場合に行なわれる、請求項１〜３のいずれかに記載のネットワークシステム。
【請求項５】
他の携帯端末装置と通信可能な携帯端末装置であって、前記他の携帯端末装置は、前記他の携帯端末装置と無線通信可能な装置を、前記他の携帯端末装置の近傍において探索させるための探索指示を受信することにより、前記他の携帯端末装置と無線通信可能な装置である通信可能装置を、前記他の携帯端末装置の近傍において探索するための処理を行ない、前記通信可能装置が探索された場合、前記通信可能装置が探索されたことを示す探索通知を、前記携帯端末装置へ送信し、かつ、前記通信可能装置を制御するための制御指示を受信することにより、前記通信可能装置を制御するものであり、
前記他の携帯端末装置と無線通信可能な装置を、前記他の携帯端末装置の近傍において探索させるための探索指示を、前記携帯端末装置が前記他の携帯端末装置と通話可能または通信可能となったことに応じて、前記他の携帯端末装置へ送信する送信手段と、
前記他の携帯端末装置から送信される前記探索通知を受信するための受信手段とを備え、
前記送信手段は、前記受信手段が前記探索通知を受信した場合、前記通信可能装置を制御するための制御指示を、前記他の携帯端末装置へ送信し、
前記制御指示は、サーバーから画像データを取得するためのアクセス情報を示し、
前記他の携帯端末装置は、前記制御指示に基づいて、前記通信可能装置に、前記アクセス情報を使用させて前記サーバーから前記画像データを取得させるための制御を行なう、携帯端末装置。
【請求項６】
他の携帯端末装置と通信可能な携帯端末装置であって、前記他の携帯端末装置は、前記携帯端末装置と無線通信可能な装置を、前記携帯端末装置の近傍において探索させるための探索指示を、前記他の携帯端末装置が前記携帯端末装置と通話可能または通信可能となったことに応じて、前記携帯端末装置へ送信し、かつ、前記他の携帯端末装置は、前記探索通知を受信した場合、前記通信可能装置を制御するための制御指示を前記携帯端末装置へ送信するものであり、
前記探索指示を受信する受信手段と、
受信した前記探索指示に基づいて、前記第２携帯端末装置と無線通信可能な装置である通信可能装置を、前記第２携帯端末装置の近傍において探索するための処理を行なう探索手段と、
前記探索手段により前記通信可能装置が探索された場合、前記通信可能装置が探索されたことを示す探索通知を、前記第１携帯端末装置へ送信する送信手段と、
前記第１受信手段が前記制御指示を受信した場合、受信した前記制御指示に基づいて、前記通信可能装置を制御する制御手段とを備え、
前記制御指示は、サーバーから画像データを取得するためのアクセス情報を示し、
前記制御手段は、前記制御指示に基づいて、前記通信可能装置に、前記アクセス情報を使用させて前記サーバーから前記画像データを取得させるための制御を行なう、携帯端末
装置。
【請求項７】
互いに通信可能な第１携帯端末装置および第２携帯端末装置を含むネットワークシステムにおいて行なわれる装置制御方法であって、
前記第１携帯端末装置が、前記第２携帯端末装置と無線通信可能な装置を、前記第２携帯端末装置の近傍において探索させるための探索指示を、前記第１携帯端末装置が前記第２携帯端末装置と通話可能または通信可能となったことに応じて、前記第２携帯端末装置へ送信するステップと、
前記第２携帯端末装置が、前記探索指示を受信するステップと、
前記第２携帯端末装置が、受信した前記探索指示に基づいて、前記第２携帯端末装置と無線通信可能な装置である通信可能装置を、前記第２携帯端末装置の近傍において探索するための処理を行なうステップと、
前記第２携帯端末装置が、前記通信可能装置が探索された場合、前記通信可能装置が探索されたことを示す探索通知を、前記第１携帯端末装置へ送信するステップと、
前記第１携帯端末装置が、前記探索通知を受信するステップと、
前記第１携帯端末装置が、前記探索通知の受信に応じて、前記通信可能装置を制御するための制御指示を、前記第２携帯端末装置へ送信するステップと、
前記第２携帯端末装置が、前記制御指示を受信した場合、受信した前記制御指示に基づいて、前記通信可能装置を制御するステップとを備え、
前記ネットワークシステムは、画像データを記憶するサーバーをさらに含み、
前記制御指示は、前記サーバーから前記画像データを取得するためのアクセス情報を示し、
前記第２携帯端末装置が前記通信可能装置を制御するステップでは、前記制御指示に基づいて、前記通信可能装置に、前記アクセス情報を使用させて前記サーバーから前記画像データを取得させるための制御を行なう、装置制御方法。
【発明の詳細な説明】
【技術分野】
【０００１】
本発明は、ネットワークシステム、携帯端末装置および装置制御方法に関し、特に、ある装置が、他の装置の制御を行なうための処理を行なうネットワークシステム、携帯端末装置および装置制御方法に関する。
【背景技術】
【０００２】
通信技術の発達により、携帯電話等の携帯端末装置において、当該携帯端末装置から離れた位置にある装置を遠隔制御するための様々な技術が開示されている。
【０００３】
たとえば、特開２００１−３３６９４９号公報（特許文献１）には、携帯電話を使用して、画像配信サーバーを制御するための技術（以下、第１の先行技術ともいう）が開示されている。
【特許文献１】特開２００１−３３６９４９号公報
【発明の開示】
【発明が解決しようとする課題】
【０００４】
近年では、家電製品等の様々な装置が、多種多様な機能を有するようになっており、当該装置の操作が苦手な人が増えている。ここで、装置の操作になれているユーザーを、ユーザーＡという。また、装置の操作が苦手なユーザーを、ユーザーＢという。また、ユーザーＡおよびユーザーＢの各々は、携帯端末装置を所持しているとする。以下においては、ユーザーＡが所持している携帯端末装置を、携帯端末装置Ａという。また、ユーザーＢが所持している携帯端末装置を、携帯端末装置Ｂという。
【０００５】
また、携帯端末装置Ｂの近傍には、ユーザーＢが操作が苦手な装置（以下、装置Ｂという）があり、装置Ｂは、携帯端末装置Ｂと通信可能であるとする。また、携帯端末装置Ａと、携帯端末装置Ｂとは通信可能であるとする。
【０００６】
この場合、装置の操作になれているユーザーＡが、携帯端末装置Ａを操作することにより、携帯端末装置Ｂの近傍にある、ユーザーＢが操作が苦手な装置Ｂを制御されることが求められる場合がある。第１の先行技術では、携帯電話が、画像配信サーバーを直接制御するための技術は開示されているものの、携帯電話が、画像配信サーバーを使用して、他の装置を間接的に制御する技術は開示されていない。
【０００７】
本発明は、上述の問題点を解決するためになされたものであって、その目的は、通信可能な装置の近傍にある装置を制御することを可能とするネットワークシステム、携帯端末装置および装置制御方法を提供することである。
【課題を解決するための手段】
【０００８】
上述の課題を解決するために、この発明のある局面に従うネットワークシステムは、互いに通信可能な第１携帯端末装置および第２携帯端末装置を含む。第１携帯端末装置は、第２携帯端末装置と無線通信可能な装置を、第２携帯端末装置の近傍において探索させるための探索指示を、第２携帯端末装置へ送信する第１送信手段を備え、第２携帯端末装置は、探索指示を受信する第１受信手段と、受信した探索指示に基づいて、第２携帯端末装置と無線通信可能な装置である通信可能装置を、第２携帯端末装置の近傍において探索するための処理を行なう探索手段と、探索手段により通信可能装置が探索された場合、通信可能装置が探索されたことを示す探索通知を、第１携帯端末装置へ送信する第２送信手段とを備え、第１携帯端末装置は、さらに、探索通知を受信するための第２受信手段を備え、第１送信手段は、第２受信手段が探索通知を受信した場合、通信可能装置を制御するための制御指示を、第２携帯端末装置へ送信し、第２携帯端末装置は、さらに、第１受信手段が制御指示を受信した場合、受信した制御指示に基づいて、通信可能装置を制御する制御手段を備える。
【０００９】
好ましくは、第１携帯端末装置の第１送信手段は、第１携帯端末装置が第２携帯端末装置と通話可能となったことに応じて、探索指示を、第２携帯端末装置へ送信する。
【００１０】
好ましくは、通信可能装置は、画像を表示可能な装置であり、制御指示は、指定した画像を、通信可能装置に表示させるための指示であり、第２携帯端末装置の制御手段は、制御指示に基づいて、通信可能装置に指定した画像を表示させるための制御を行なう。
【００１１】
好ましくは、ネットワークシステムは、画像データを記憶するサーバーをさらに含み、制御指示は、サーバーから画像データを取得するためのアクセス情報を示し、第２携帯端末装置の制御手段は、制御指示に基づいて、通信可能装置に、アクセス情報を使用させてサーバーから画像データを取得させるための制御を行なう。
【００１２】
好ましくは、通信可能装置は、画像を表示可能な装置であり、第１送信手段は、第２受信手段が探索通知を受信した場合、通信可能装置に表示させるための画像である表示画像を、第２携帯端末装置へ送信し、第２携帯端末装置の第２送信手段は、第１受信手段が表示画像を受信した場合、表示画像を通信可能装置へ送信する。
【００１３】
好ましくは、第１携帯端末装置と第２携帯端末装置との間では、音声、制御指示および画像の少なくとも１つがパケット通信によりやりとりされる。
【００１４】
好ましくは、第１受信手段、探索手段、第２送信手段、第２受信手段および制御手段の少なくとも１つが行なう処理は、第１携帯端末装置と、第２携帯端末装置とが通話可能である場合に行なわれる。
【００１５】
この発明の他の局面に従うと、他の携帯端末装置と通信可能な携帯端末装置であって、他の携帯端末装置は、他の携帯端末装置と無線通信可能な装置を、他の携帯端末装置の近傍において探索させるための探索指示を受信することにより、他の携帯端末装置と無線通信可能な装置である通信可能装置を、他の携帯端末装置の近傍において探索するための処理を行ない、通信可能装置が探索された場合、通信可能装置が探索されたことを示す探索通知を、携帯端末装置へ送信し、かつ、通信可能装置を制御するための制御指示を受信することにより、通信可能装置を制御するものである。携帯端末装置は、他の携帯端末装置と無線通信可能な装置を、他の携帯端末装置の近傍において探索させるための探索指示を、他の携帯端末装置へ送信する送信手段と、他の携帯端末装置から送信される探索通知を受信するための受信手段とを備え、送信手段は、受信手段が探索通知を受信した場合、通信可能装置を制御するための制御指示を、他の携帯端末装置へ送信する。
【００１６】
この発明のさらに他の局面に従うと、互いに通信可能な第１携帯端末装置および第２携帯端末装置を含むネットワークシステムにおいて行なわれる装置制御方法は、第１携帯端末装置が、第２携帯端末装置と無線通信可能な装置を、第２携帯端末装置の近傍において探索させるための探索指示を、第２携帯端末装置へ送信するステップと、第２携帯端末装置が、探索指示を受信するステップと、第２携帯端末装置が、受信した探索指示に基づいて、第２携帯端末装置と無線通信可能な装置である通信可能装置を、第２携帯端末装置の近傍において探索するための処理を行なうステップと、第２携帯端末装置が、通信可能装置が探索された場合、通信可能装置が探索されたことを示す探索通知を、第１携帯端末装置へ送信するステップと、第１携帯端末装置が、探索通知を受信するステップと、第１携帯端末装置が、探索通知の受信に応じて、通信可能装置を制御するための制御指示を、第２携帯端末装置へ送信するステップと、第２携帯端末装置が、制御指示を受信した場合、受信した制御指示に基づいて、通信可能装置を制御するステップとを備える。
【発明の効果】
【００１７】
本発明に係るネットワークシステムは、第１携帯端末装置および第２携帯端末装置を含む。第１携帯端末装置は、第２携帯端末装置と無線通信可能な装置を、第２携帯端末装置の近傍において探索させるための探索指示を、第２携帯端末装置へ送信する。第２携帯端末装置は、第２携帯端末装置と無線通信可能な装置である通信可能装置を、第２携帯端末装置の近傍において探索するための処理を行ない、通信可能装置が探索された場合、探索されたことを示す探索通知を、第１携帯端末装置へ送信する。第１携帯端末装置は、探索通知を受信した場合、通信可能装置を制御するための制御指示を、第２携帯端末装置へ送信する。第２携帯端末装置は、受信した制御指示に基づいて、通信可能装置を制御する。
【００１８】
したがって、通信可能な装置の近傍にある装置を制御することができるという効果を奏する。
【００１９】
本発明に係る携帯端末装置は、他の携帯端末装置と通信可能である。携帯端末装置は、他の携帯端末装置と無線通信可能な装置を、他の携帯端末装置の近傍において探索させるための探索指示を、他の携帯端末装置へ送信する。他の携帯端末装置は、探索指示を受信することにより、他の携帯端末装置と無線通信可能な装置である通信可能装置を、他の携帯端末装置の近傍において探索するための処理を行ない、通信可能装置が探索された場合、通信可能装置が探索されたことを示す探索通知を、携帯端末装置へ送信する。携帯端末装置は、探索通知を受信した場合、通信可能装置を制御するための制御指示を、他の携帯端末装置へ送信する。他の携帯端末装置は、制御指示を受信することにより、通信可能装置を制御する。
【００２０】
したがって、通信可能な装置の近傍にある装置を制御することができるという効果を奏する。
【００２１】
本発明に係る装置制御方法では、以下の処理が行なわれる。第１携帯端末装置が、第２携帯端末装置と無線通信可能な装置を、第２携帯端末装置の近傍において探索させるための探索指示を、第２携帯端末装置へ送信する。第２携帯端末装置が、受信した探索指示に基づいて、第２携帯端末装置と無線通信可能な装置である通信可能装置を、第２携帯端末装置の近傍において探索するための処理を行ない、通信可能装置が探索された場合、通信可能装置が探索されたことを示す探索通知を、第１携帯端末装置へ送信する。第１携帯端末装置が、探索通知の受信に応じて、通信可能装置を制御するための制御指示を、第２携帯端末装置へ送信する。第２携帯端末装置が、制御指示を受信した場合、受信した制御指示に基づいて、通信可能装置を制御する。
【００２２】
したがって、通信可能な装置の近傍にある装置を制御することができるという効果を奏する。
【発明を実施するための最良の形態】
【００２３】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００２４】
＜第１の実施の形態＞
図１は、本実施の形態におけるネットワークシステム１０００の構成を示す図である。図１を参照して、ネットワークシステム１０００は、携帯端末装置５００．１，５００．２と、コンテンツ再生装置６００と、サーバー８００とを含む。
【００２５】
携帯端末装置５００．１，５００．２は、携帯電話である。なお、携帯端末装置５００．１，５００．２は、携帯電話に限定されることなく、電話機能および通信機能を備え、携帯可能な装置であればどのような装置（たとえば、固定電話、ＰＤＡ（Personal Digital Assistance）、ＰＣ（Personal Computer））でもよい。
【００２６】
携帯端末装置５００．１，５００．２は、電話網６０と、無線によりデータ通信可能である。電話網６０は、たとえば、携帯電話のための電話網である。したがって、携帯端末装置５００．１は、電話網６０を介して、携帯端末装置５００．２と、通話およびデータ通信が可能である。電話網６０を利用して行なわれるデータ通信は、一例として、パケット通信であるとする。
【００２７】
コンテンツ再生装置６００は、一例として、テレビジョン受信機である。なお、コンテンツ再生装置６００は、テレビジョン受信機に限定されることなく、コンテンツを再生可能な装置であればどのような装置であってもよい。ここで、コンテンツ再生装置６００は、携帯端末装置５００．２の近傍にあるとする。一例として、コンテンツ再生装置６００の位置と、携帯端末装置５００．２の位置との距離は、５メートルであるとする。
【００２８】
なお、携帯端末装置５００．１の位置と、携帯端末装置５００．２の位置との距離は、所定距離（たとえば、１キロメートル）以上であるとする。すなわち、携帯端末装置５００．１と、携帯端末装置５００．２とは、直接、無線通信できないとする。
【００２９】
携帯端末装置５００．２は、無線または有線により、コンテンツ再生装置６００とデータ通信を行なう。
【００３０】
また、コンテンツ再生装置６００は、無線または有線により、ネットワーク７０とデータ通信を行なう機能を有する。ネットワーク７０は、インターネットなどの広域なネットワークである。また、ネットワーク７０は、無線または有線により、電話網６０とデータ通信可能である。したがって、携帯端末装置５００．１，５００．２は、電話網６０を介して、ネットワーク７０とデータ通信可能である。
【００３１】
以下においては、携帯端末装置５００．１および携帯端末装置５００．２の各々を、総括的に、携帯端末装置５００ともいう。
【００３２】
サーバー８００は、ＰＣである。サーバー８００は、コンテンツを蓄積したり、コンテンツ等を提供するサーバーである。コンテンツは、たとえば、動画像、静止画像、音楽データ等である。サーバー８００は、複数のコンテンツを記憶している。
【００３３】
サーバー８００は、ネットワーク７０と、無線または有線でデータ通信を行なう。したがって、ネットワーク７０と通信を行なう複数の装置の各々は、サーバー８００と通信可能である。
【００３４】
（携帯端末装置）
次に、携帯端末装置５００について詳細に説明する。
【００３５】
図２は、携帯端末装置５００の外観を正面から示した図である。図２を参照して、携帯端末装置５００は、表示部５３０と、音声出力部５７０と、撮像部５７８とを備える。
【００３６】
表示部５３０は、文字や画像等を表示する機能を有する。表示部５３０には、文字や画像等を表示する表示面が設けられる。表示部５３０は、ＬＣＤパネル（Liquid Crystal Display Panel）を使用した装置である。なお、表示部５３０は、上記以外の表示方式のパネルを使用した装置であってもよい。
【００３７】
表示部５３０の表示面に表示される画像の最大解像度（以下、表示最大解像度ともいう）は、横４８０（ドット）×縦８００（ドット）である。なお、表示部５３０の表示最大解像度は、横４８０（ドット）×縦８００（ドット）に限定されることなく、他の解像度であってもよい。
【００３８】
また、表示部５３０は、ユーザが、表示面に直接触れることで、情報入力可能なタッチパネル機能を有する。表示部５３０は、ユーザが表示面にタッチした位置情報を、後述する制御部５１０へ送信する。制御部５１０は、受信した位置情報に基づいて、所定の処理を行なう。
【００３９】
音声出力部５７０は、電話の音声を出力するスピーカである。音声出力部５７０は、後述する制御部５１０から受信した音声データに基づく音声を出力する。
【００４０】
撮像部５７８は、撮像対象となる被写体を撮像する撮像処理を行なう機能を有する。撮像部５７８は、図示しない、撮像レンズ、受光部およびカラーフィルタ部を含む。受光部は、入力された光を電気信号に変換する機能を有する。受光部は、複数の受光素子から構成される。受光素子は、たとえば、ＣＣＤ（Charge Coupled Device）イメージセンサまたはＣＭＯＳ（Complementary Metal Oxide Semiconductor）イメージセンサ等を使用した素子である。
【００４１】
カラーフィルタ部は、複数のカラーフィルタから構成される。カラーフィルタは、Ｒ、Ｇ、Ｂの各々に対応したフィルタである。複数のカラーフィルタは、複数の受光素子にそれぞれ対応して設けられる。
【００４２】
撮像処理では以下の処理が行なわれる。まず、撮像部５７８が、撮像対象となる被写体に反射されて撮像レンズに入射した光、または、光源（たとえば、照明）からの光を、カラーフィルタ部を介して、受光部に入力させる。受光部は入力された光を電気信号に変換する。そして、撮像部５７８は、変換した電気信号をデジタルデータ（以下、撮像画像データともいう）に変換する。
【００４３】
携帯端末装置５００は、さらに、入力部５４０を備える。
入力部５４０は、ボタン群５４１を含む。ボタン群５４１は、方向ボタン５４１Ａ，５４１Ｂ，５４１Ｃ，５４１Ｄと、決定ボタン５４１Ｅとを含む。方向ボタン５４１Ａ，５４１Ｂ，５４１Ｃ，５４１Ｄは、ユーザによる短時間（たとえば、１秒未満）の押下操作（以下、短押操作ともいう）により、たとえば、表示部５３０に表示されている画像内の移動対象となる物（たとえば、カーソル等）を上下左右に移動させるためのボタンである。以下においては、ユーザによる長時間（たとえば、一秒以上）のボタンの押下操作を、長押操作ともいう。
【００４４】
決定ボタン５４１Ｅは、短押操作により、たとえば、方向ボタン５４１Ａ，５４１Ｂ，５４１Ｃ，５４１Ｄの短押操作により選択された項目等を決定するためのボタンである。
【００４５】
入力部５４０は、さらに、機能ボタン５４２Ａ，５４２Ｂ，５４３Ａ，５４３Ｂを含む。機能ボタン５４２Ａ，５４２Ｂ，５４３Ａ，５４３Ｂの各々は、短押操作により、割り当てられた処理を行なうためのボタンである。
【００４６】
入力部５４０は、さらに、文字ボタン群５４６を含む。文字ボタン群５４６は、１５個の文字ボタンを含む。文字ボタン群５４６に含まれる複数の文字ボタンの各々は、短押操作により、数字、文字または記号等を入力するためのボタンである。
【００４７】
入力部５４０は、入力部５４０に含まれる複数のボタンのうち、短押操作または長押操作されたボタンに対応するボタン信号を、後述する制御部５１０へ送信する。すなわち、入力部５４０は、ユーザが携帯端末装置５００を操作するためのインターフェースである。以下においては、ユーザによる、入力部５４０の操作または表示部５３０に対するタッチ操作を、インターフェース操作Ｍともいう。
【００４８】
携帯端末装置５００は、さらに、音声入力部５７４と、記録媒体挿入部５５０Ａとを備える。音声入力部５７４は、音声を取得するマイクである。記録媒体挿入部５５０Ａは、携帯端末装置５００に後述する記録媒体を挿入する部分である。
【００４９】
図３は、携帯端末装置５００の内部構成を示したブロック図である。なお、図３には、説明のために、記録媒体５５５も示している。記録媒体５５５には、後述するプログラム１８０が記録されている。すなわち、プログラム１８０は、媒体等に記録されてプログラム製品として流通される。また、記録媒体５５５もプログラム製品として流通される。
【００５０】
図３を参照して、携帯端末装置５００は、さらに、制御部５１０と、記憶部５２０とを備える。
【００５１】
記憶部５２０は、データを不揮発的に記憶するメモリである。記憶部５２０は、制御部５１０によってデータアクセスされる。記憶部５２０は、たとえば、フラッシュメモリである。記憶部５２０には、プログラム１８０、その他の各種データ等が記憶されている。なお、記憶部５２０は、データを揮発的に記憶するメモリであってもよい。
【００５２】
制御部５１０は、記憶部５２０に記憶されたプログラム１８０に従って、携帯端末装置５００内の各部に対する各種処理や、演算処理等を行なう機能を有する。制御部５１０は、ＣＰＵ（Central Processing Unit）である。なお、制御部５１０は、ＣＰＵに限定されることなく、演算機能を有するその他の回路であってもよい。
【００５３】
制御部５１０は、表示部５３０とデータ通信を行なう。制御部５１０は、生成した画像を、表示部５３０に表示させる。
【００５４】
携帯端末装置５００は、さらに、入力部５４０と、記録媒体アクセス部５５０とを備える。
【００５５】
制御部５１０は、入力部５４０に含まれる、前述した複数のボタンのうち、短押操作または長押操作があったボタンに対応するボタン信号を、入力部５４０から受信する。制御部５１０は、受信したボタン信号に応じた処理を行なう。
【００５６】
記録媒体アクセス部５５０は、記録媒体５５５が前述の記録媒体挿入部５５０Ａから携帯端末装置５００に挿入（装着）されると、記録媒体５５５にデータアクセス可能となる。これにより、記録媒体アクセス部５５０は、プログラム１８０が記録された記録媒体５５５から、プログラム１８０を読出すことが可能となる。
【００５７】
記録媒体５５５に記憶されているプログラム１８０は、制御部５１０のインストール処理により、記録媒体アクセス部５５０により読み出され、制御部５１０が、プログラム１８０を、記憶部５２０に記憶させる。
【００５８】
記録媒体５５５は、ＳＤ（Secure Digital）メモリーカードである。なお、記録媒体５５５は、ＳＤメモリーカードに限定されることなく、データを不揮発的に記録可能なその他の媒体であってもよい。
【００５９】
携帯端末装置５００は、さらに、通信部５６０を備える。
通信部５６０は、制御部５１０とデータ通信を行なう。また、通信部５６０は、コンテンツ再生装置６００とデータ通信を行なう機能を有する。
【００６０】
通信部５６０は、Bluetooth（登録商標）の規格に基づく無線通信を行なう機能を有する。また、通信部５６０は、赤外線を使用した無線通信を行なう機能を有する。なお、無線通信は、Bluetooth（登録商標）の規格に基づく通信、赤外線を使用した通信に限定されることなく、他の方式の通信であってもよい。通信部５６０は、制御部５１０からの制御指示に応じて、コンテンツ再生装置６００と無線でデータ通信を行なう。
【００６１】
携帯端末装置５００は、さらに、アンテナ５６４と、通信部５６６とを備える。
アンテナ５６４は、通信部５６６と接続されている。通信部５６６は、アンテナ５６４を利用して、無線通信を行なう機能を有する。通信部５６６は、図示しない最寄の基地局と無線通信を行なう。最寄の基地局は、電話網６０と通信を行なう。したがって、通信部５６６は、アンテナ５６４を利用して、最寄の基地局を介して、電話網６０と通信を行なう。
【００６２】
具体的には、通信部５６６は、電話網６０を使用して、電話をかける機能および電話を受ける機能を有する。また、通信部５６６は、電話網６０とデータ通信を行なう機能を有する。携帯端末装置５００は、通信部５６６を使用して、他の装置に対し電話をかけ、当該他の装置と通話可能となった場合、通信部５６６を使用して、当該他の装置とデータ通信が可能となる。通信部５６６が電話網６０を利用して行なうデータ通信は、一例として、パケット通信であるとする。通信部５６６が電話網６０を利用して行なうデータ通信は、音声データの授受も可能である。すなわち、携帯端末装置５００と、当該他の装置との間で行なわれる通話では、パケット通信により、音声のやりとりが行なわれる。
【００６３】
携帯端末装置５００は、制御部５１０および通信部５６６の処理により、電話網６０を介して、ネットワーク７０からプログラムのダウンロード処理を行ない、記憶部５２０に格納することもできる。この場合、当該ダウンロードしたプログラムは、プログラム１８０である。制御部５１０は、ネットワーク７０からダウンロードしたプログラム（プログラム１８０）に従って、所定の処理を行なう。
【００６４】
携帯端末装置５００は、さらに、音声出力部５７２を備える。音声出力部５７２は、携帯端末装置５００の外部に設けられるスピーカである。音声出力部５７２は、制御部５１０から受信した音声データに基づく音声を出力する。
【００６５】
制御部５１０は、前述した音声出力部５７０および音声入力部５７４の各々とデータ通信する。制御部５１０が、音声データを音声出力部５７０へ送信すると、音声出力部５７０は、制御部５１０から受信した音声データに基づく音声を出力する。ユーザが音声入力部５７４に対して音声を発すると、音声入力部５７４は、取得した音声を音声データに変換して、音声データを、制御部５１０へ送信する。
【００６６】
制御部５１０は、前述した撮像部５７８とデータ通信する。
撮像部５７８は、制御部５１０からの制御指示に基づいて、前述の撮像処理を行ない、撮像画像データを制御部５１０へ送信する。制御部５１０は、撮像画像データを受信すると、撮像画像データを、記憶部５２０および記録媒体５５５のいずれかに記憶させる。
【００６７】
（コンテンツ再生装置）
次に、コンテンツ再生装置６００について詳細に説明する。
【００６８】
図４は、コンテンツ再生装置６００の内部構成を示したブロック図である。なお、図４には、説明のために、記録媒体５５５Ａも示している。記録媒体５５５Ａには、後述するプログラム１８０Ａが記録されている。すなわち、プログラム１８０Ａは、媒体等に記録されてプログラム製品として流通される。また、記録媒体５５５Ａもプログラム製品として流通される。
【００６９】
図４を参照して、コンテンツ再生装置６００は、表示部６３０を備える。表示部６３０には、文字や画像等を表示する表示面が設けられる。表示部６３０は、ＬＣＤパネル（Liquid Crystal Display Panel）を使用した装置である。なお、表示部６３０は、上記以外の表示方式のパネルを使用した装置であってもよい。
【００７０】
表示部６３０の表示面に表示される画像の最大解像度（以下、表示最大解像度ともいう）は、横１９２０（ドット）×縦１０８０（ドット）である。なお、表示部６３０の表示最大解像度は、横１９２０（ドット）×縦１０８０（ドット）に限定されることなく、他の解像度であってもよい。表示部６３０の表示面のサイズは、表示部５３０の表示面のサイズより大きい。また、表示部６３０の表示最大解像度は、表示部５３０の表示最大解像度より大きい。
【００７１】
コンテンツ再生装置６００は、さらに、制御部６１０と、記憶部６２０とを備える。
記憶部６２０は、データを不揮発的に記憶する機能を有する。記憶部６２０は、制御部６１０によってデータアクセスされる。記憶部６２０は、ハードディスクである。なお、記憶部６２０は、ハードディスクに限定されることなく、データを不揮発的に記憶する機能を有するメモリであってもよい。記憶部６２０には、プログラム１８０Ａ、その他の各種データ等が記憶されている。なお、記憶部６２０は、データを揮発的に記憶するメモリであってもよい。
【００７２】
制御部６１０は、記憶部６２０に記憶されたプログラム１８０Ａに従って、コンテンツ再生装置６００内の各部に対する各種処理や、演算処理等を行なう機能を有する。制御部６１０は、前述の制御部５１０と同様なものであるので詳細な説明は繰り返さない。
【００７３】
コンテンツ再生装置６００は、さらに、アンテナ６０２と、チューナ６０５と、データ処理部６０７とを備える。
【００７４】
アンテナ６０２は、チューナ６０５と接続されている。チューナ６０５は、制御部６１０により指示された周波数の放送信号を、アンテナ６０２を介して受信する。チューナ６０５は、デジタル放送に基づく放送信号およびアナログ放送に基づく放送信号を受信する機能を有する。チューナ６０５は、受信した放送信号を、データ処理部６０７へ送信する。
【００７５】
データ処理部６０７は、制御部６１０から、表示部６３０に画像を表示させるための表示指示を受信すると、受信した放送信号から画像データを取得し、当該画像データを、表示部６３０へ送信する。表示部６３０は、画像データを受信すると、画像データに基づく画像（動画像または静止画像）を表示する。以下においては、チューナ６０５が受信した放送信号に基づく画像であって、かつ、表示部６３０に表示される画像を、ＴＶ画像ともいう。
【００７６】
制御部６１０は、表示部６３０とデータ通信を行なう。制御部６１０は、生成した画像を、表示部６３０に表示させる。
【００７７】
コンテンツ再生装置６００は、さらに、入力部６４０と、記録媒体アクセス部６５０とを備える。
【００７８】
入力部６４０は、図示されない複数のボタンを含む。複数のボタンは、コンテンツ再生装置６００の外部に設けられている。複数のボタンのうち、いずれかのボタンがユーザにより押下操作されると、入力部６４０は、押下操作されたボタンに対応するボタン信号を、制御部６１０へ送信する。制御部６１０は、受信したボタン信号に基づいて、所定の処理を行なう。以下においては、ユーザによる、入力部６４０のボタン操作を、インターフェース操作Ｔともいう。
【００７９】
記録媒体アクセス部６５０は、プログラム１８０Ａが記録された記録媒体５５５Ａから、プログラム１８０Ａを読出す機能を有する。記録媒体５５５Ａに記憶されているプログラム１８０Ａは、制御部６１０のインストール処理により、記録媒体アクセス部６５０により読み出され、制御部６１０が、プログラム１８０Ａを、記憶部６２０に記憶させる。記録媒体５５５Ａには、さらに、コンテンツデータ等も記録されている。コンテンツデータは、たとえば、音楽データ、動画像データ等である。
【００８０】
記録媒体５５５Ａは、ＳＤメモリーカードである。なお、記録媒体５５５は、ＳＤメモリーカードに限定されることなく、データを不揮発的に記録可能なその他の媒体であってもよい。
【００８１】
コンテンツ再生装置６００は、さらに、通信部６６０と、通信部６６２とを備える。
通信部６６０は、制御部６１０とデータ通信を行なう。また、通信部６６０は、携帯端末装置５００と、データ通信を行なう機能を有する。なお、通信部６６０は、前述の通信部５６０と同様な構成および機能を有するので詳細な説明は繰り返さない。
【００８２】
通信部６６２は、制御部６１０と、データ通信を行なう。通信部６６２は、有線技術を利用して、ネットワーク７０とデータ通信を行なう機能を有する。有線技術は、たとえば、イーサネット（登録商標）に基づく技術である。この場合、通信部６６２は、たとえば、ＬＡＮケーブルを介して、ネットワーク７０とデータ通信を行なうことができる。なお、有線技術は、イーサネット（登録商標）に基づく技術に限定されることなく、その他の有線技術であってもよい。
【００８３】
また、通信部６６２は、無線技術を利用して、ネットワーク７０とデータ通信を行なう機能を有する。無線技術は、たとえば、ＩＥＥＥ８０２．１１ｇに基づく技術である。なお、無線技術は、ＩＥＥＥ８０２．１１ｇに基づく技術に限定されることなく、その他の無線技術であってもよい。したがって、通信部６６２は、無線により、ネットワーク７０とデータ通信を行なうことができる。
【００８４】
したがって、本実施の形態におけるコンテンツ再生装置６００は、ネットワーク７０から、通信部６６２を介して、プログラムのダウンロード処理を行ない、記憶部６２０に格納することもできる。この場合、当該ダウンロードしたプログラムは、プログラム１８０Ａである。制御部６１０は、ネットワーク７０からダウンロードしたプログラム（プログラム１８０Ａ）に従って、所定の処理を行なう。
【００８５】
以下においては、携帯端末装置５００の通信部５６０から送信される、コンテンツ再生装置６００を制御するためのリモートコントロール信号を、ＲＣ信号という。この場合、通信部６６０が、携帯端末装置５００から送信されたＲＣ信号を受信し、受信したＲＣ信号を制御部６１０へ送信する。制御部６１０は、受信したＲＣ信号に応じて、対応する処理を行なう。
【００８６】
コンテンツ再生装置６００は、さらに、音声出力部６７０を備える。音声出力部６７０は、コンテンツ再生装置６００の外部に設けられるスピーカである。音声出力部６７０は、制御部６１０から受信した音声データに基づく音声を出力する。
【００８７】
（サーバー）
図５は、サーバー８００の内部構成を示したブロック図である。図５を参照して、サーバー８００は、表示部８３０と、制御部８１０と、記憶部８２０とを備える。
【００８８】
表示部８３０は、文字や画像等を表示する機能を有する。表示部８３０は、前述の表示部６３０と同様なものであるので詳細な説明は繰り返さない。
【００８９】
記憶部８２０は、データを不揮発的に記憶する機能を有する。記憶部８２０は、制御部８１０によってデータアクセスされる。記憶部８２０は、前述の記憶部６２０と同様なものであるので詳細な説明は繰り返さない。記憶部８２０には、プログラム１８０Ｂ、その他の各種データ等が記憶されている。
【００９０】
制御部８１０は、記憶部８２０に記憶されたプログラム１８０Ｂに従って、サーバー８００内の各部に対する各種処理や、演算処理等を行なう機能を有する。制御部８１０は、前述の制御部６１０と同様なものであるので詳細な説明は繰り返さない。
【００９１】
制御部８１０は、表示部８３０とデータ通信を行なう。制御部８１０は、生成した画像を、表示部８３０に表示させる。
【００９２】
サーバー８００は、さらに、入力部８４０を備える。
入力部８４０には、マウス８４２と、キーボード８４４とが接続されている。ユーザは、マウス８４２またはキーボード８４４を利用して、サーバー８００に指示を与える。マウス８４２またはキーボード８４４からの入力指示は、入力部８４０を介して制御部８１０へ送信される。制御部８１０は、入力部８４０からの入力指示に基づいて所定の処理を行なう。
【００９３】
サーバー８００は、さらに、通信部８６０と、通信部８６２とを備える。
通信部８６０は、制御部８１０とデータ通信を行なう。また、通信部８６０は、図示しない他の装置と、データ通信を行なう機能を有する。なお、通信部８６０は、前述の通信部５６０と同様な構成および機能を有するので詳細な説明は繰り返さない。
【００９４】
通信部８６２は、制御部８１０と、データ通信を行なう。通信部８６２は、前述の通信部６６２と同様な構成および機能を有するので詳細な説明は繰り返さない。したがって、通信部８６２は、無線により、ネットワーク７０とデータ通信を行なうことができる。また、通信部８６２は、たとえば、ＬＡＮケーブルを介して、ネットワーク７０とデータ通信を行なうことができる。
【００９５】
（コンテンツの蓄積）
次に、携帯端末装置５００．１の記憶部５２０に記憶されているコンテンツを、サーバー８００に蓄積させるための処理（以下、蓄積処理ともいう）について説明する。
【００９６】
携帯端末装置５００．１の記憶部５２０に記憶されているコンテンツは、たとえば、撮像処理により得た画像データであるとする。以下においては、携帯端末装置５００．１および携帯端末装置５００．２を、それぞれ、携帯端末装置Ａおよび携帯端末装置Ｂともいう。また、携帯端末装置Ａの記憶部５２０に記憶されている画像データを、オリジナル画像データともいう。また、オリジナル画像データにより再生される画像を、オリジナル画像ともいう。また、携帯端末装置Ａの記憶部５２０には、複数のオリジナル画像データが記憶されているとする。
【００９７】
蓄積処理において、携帯端末装置Ａで行なわれる処理を、蓄積処理Ａともいう。また、以下においては、蓄積処理において、サーバー８００で行なわれる処理を、蓄積処理Ｓともいう。
【００９８】
ここで、サーバー８００は、他の装置が記憶しているコンテンツを蓄積するためのＷｅｂページ（以下、蓄積Ｗｅｂページともいう）を、ネットワーク７０を介して、外部の装置に公開しているとする。
【００９９】
ここで、携帯端末装置Ａにおいて、蓄積ＷｅｂページのＵＲＬ（Uniform Resource Locator）にアクセスするための処理が行なわれ、携帯端末装置Ａの表示部５３０に、蓄積Ｗｅｂページの画像が表示されるとする。ここで、表示部５３０に表示される、蓄積Ｗｅｂページの画像は、以下の一覧画像ＭＧ１００であるとする。
【０１００】
図６は、一例としての一覧画像ＭＧ１００を示す図である。図６を参照して、一覧画像ＭＧ１００には、複数のサムネイル画像が配置される。複数のサムネイル画像は、携帯端末装置Ａの記憶部５２０に記憶されている、複数のオリジナル画像データに基づく画像（オリジナル画像）を縮小表示した画像である。図６では、一覧画像ＭＧ１００に配置される複数のサムネイル画像の一部のサムネイル画像ＭＧ１１０，ＭＧ１２０が表示される。
【０１０１】
また、一覧画像ＭＧ１００には、選択枠ＳＬ１０が配置される。選択枠ＳＬ１０は、インターフェース操作Ｍにより、上または下に移動させることができる枠である。選択枠ＳＬ１０に囲まれている画像は、選択状態の画像である。
【０１０２】
図７は、蓄積処理Ａおよび蓄積処理Ｓのフローチャートである。図７を参照して、蓄積処理Ａでは、まず、ステップＳ１１１の処理が行なわれる。
【０１０３】
ステップＳ１１１では、制御部５１０が、選択確定操作Ｍがあるか否かを判定する。選択確定操作Ｍは、表示部５３０に表示されている一覧画像に配置される複数のサムネイル画像のいずれかを選択状態にし、当該選択状態を確定するためのインターフェース操作Ｍである。ここで、表示部５３０に表示されている一覧画像は、図６の一覧画像ＭＧ１００であるとする。
【０１０４】
ステップＳ１１１において、ＹＥＳならば、ステップＳ１１２に進む。一方、ステップＳ１１１において、ＮＯならば、再度、ステップＳ１１１の処理が行なわれる。ここでは、選択確定操作Ｍがあったとして、ステップＳ１１２に進む。
【０１０５】
ステップＳ１１２では、画像送信処理Ｍが行なわれる。画像送信処理Ｍでは、制御部５１０が、選択確定操作Ｍにより選択されたサムネイル画像のオリジナル画像のデータ（以下、オリジナル画像データともいう）を、サーバー８００へ送信する。そして、ステップＳ１１２の処理は終了する。
【０１０６】
蓄積処理Ｓでは、まず、ステップＳ１８１の処理が行なわれる。
ステップＳ１８１では、制御部８１０が、画像データを受信したか否かを判定する。ステップＳ１８１において、ＹＥＳならば、ステップＳ１８２に進む。一方、ステップＳ１８１において、ＮＯならば、再度、ステップＳ１８１の処理が行なわれる。ここでは、オリジナル画像データを受信したとして、ステップＳ１８２に進む。
【０１０７】
図８は、蓄積処理Ａおよび蓄積処理Ｓにより、携帯端末装置Ａと、サーバー８００との間でやりとりされる情報（データ）等を示す図である。図８を参照して、“サーバー”とは、サーバー８００のことである。
【０１０８】
再び、図７を参照して、ステップＳ１８２では、画像ＩＤ発行処理Ｓが行なわれる。画像ＩＤ発行処理Ｓでは、制御部８１０が、受信した画像データを特定するための画像ＩＤを発行する。発行される画像ＩＤ（以下、発行画像ＩＤともいう）は、制御部８１０が、現時点で、発行していないユニークなＩＤである。
【０１０９】
ここで、受信した画像データは、図６のサムネイル画像ＭＧ１１０のオリジナル画像データであるとする。この場合、発行画像ＩＤは、一例として、“Ｇ０００１”であるとする。そして、ステップＳ１８３に進む。
【０１１０】
ステップＳ１８３では、画像データ記憶処理Ｓが行なわれる。画像データ記憶処理Ｓでは、制御部８１０が、受信した画像データ（オリジナル画像データ）を、発行画像ＩＤに対応づけて、記憶部８２０に記憶させる。そして、ステップＳ１８４に進む。
【０１１１】
ステップＳ１８４では、制御部８１０が、画像特定情報を、自装置（サーバー８００）へ画像データを送信した装置（携帯端末装置Ａ）へ送信する。画像特定情報は、発行画像ＩＤと、発行画像ＩＤに対応づけて記憶されるオリジナル画像データを特定するためのＵＲＬ（以下、蓄積データ特定ＵＲＬともいう）とを示す情報である。そして、再度、ステップＳ１８１処理が行なわれる。
【０１１２】
蓄積処理Ａでは、ステップＳ１１２の処理の後、ステップＳ１１３に進む。
ステップＳ１１３では、制御部５１０が、画像特定情報を受信したか否かを判定する。ステップＳ１１３において、ＹＥＳならば、ステップＳ１１４に進む。一方、ステップＳ１１３において、ＮＯならば、再度、ステップＳ１１３の処理が行なわれる。ここでは、画像特定情報を受信したとして、ステップＳ１１４に進む。
【０１１３】
ステップＳ１１４では、制御部５１０が、受信した画像特定情報を、画像送信処理Ｍにより送信したオリジナル画像データに対応づけて、記憶部５２０に記憶させる。ここで、画像送信処理Ｍにより送信したオリジナル画像データは、図６のサムネイル画像ＭＧ１１０のオリジナル画像データであるとする。また、受信した画像特定情報は、発行画像ＩＤ“Ｇ０００１”と、記憶部８２０に記憶されたサムネイル画像ＭＧ１１０のオリジナル画像データを特定するための蓄積データ特定ＵＲＬとを示すとする。すなわち、記憶部５２０には、オリジナル画像データと、発行画像ＩＤと、蓄積データ特定ＵＲＬとが対応づけて記憶される。そして、この蓄積処理Ａは終了する。
【０１１４】
そして、携帯端末装置Ａにおいて、図６の一覧画像ＭＧ１００に配置される複数のサムネイル画像の各々に対して、蓄積処理ＡのステップＳ１１１，Ｓ１１２，Ｓ１１３，Ｓ１１４の処理が行なわれたとする。また、サーバー８００は、携帯端末装置Ａにおいて、ステップＳ１１２の処理が行なわれる毎に、ステップＳ１８１，Ｓ１８２，Ｓ１８３，Ｓ１８４の処理を行なう。
【０１１５】
これらの処理により、サーバー８００の記憶部８２０には、複数のオリジナル画像データが、それぞれ、異なる複数の発行画像ＩＤと対応づけて記憶される。すなわち、記憶部８２０には、複数のコンテンツが蓄積される。
【０１１６】
また、携帯端末装置Ａの記憶部５２０には、複数のオリジナル画像データが、それぞれ、異なる複数の画像特定情報に対応づけて記憶される。すなわち、携帯端末装置Ａの記憶部５２０には、複数のオリジナル画像データが、それぞれ、異なる複数の発行画像ＩＤと対応づけて記憶される。また、携帯端末装置Ａの記憶部５２０には、複数のオリジナル画像データが、それぞれ、異なる複数の蓄積データ特定ＵＲＬと対応づけて記憶される。
【０１１７】
（遠隔制御）
次に、携帯端末装置Ａと、携帯端末装置Ｂとが通話可能である期間に、携帯端末装置Ａと、携帯端末装置Ｂとの間で通信を行なうことにより、コンテンツ再生装置６００を制御するための処理（以下、遠隔制御処理ともいう）について説明する。
【０１１８】
以下においては、遠隔制御処理において、携帯端末装置Ａで行なわれる処理を、遠隔制御処理Ａともいう。また、遠隔制御処理において、携帯端末装置Ｂで行なわれる処理を、遠隔制御処理Ｂともいう。また、遠隔制御処理において、コンテンツ再生装置６００で行なわれる処理を、遠隔制御処理Ｔともいう。また、遠隔制御処理において、サーバー８００で行なわれる処理を、遠隔制御処理Ｓともいう。
【０１１９】
ここで、前述の蓄積処理Ａおよび蓄積処理Ｓにより、携帯端末装置Ａの記憶部５２０には、複数のオリジナル画像データが、それぞれ、異なる複数の発行画像ＩＤと対応づけて記憶されているとする。また、携帯端末装置Ａの記憶部５２０には、複数のオリジナル画像データが、それぞれ、異なる複数の蓄積データ特定ＵＲＬと対応づけて記憶されているとする。
【０１２０】
また、前述の蓄積処理Ａおよび蓄積処理Ｓにより、サーバー８００の記憶部８２０には、携帯端末装置Ａの記憶部５２０に記憶されている複数のオリジナル画像データが、それぞれ、異なる複数の発行画像ＩＤと対応づけて記憶されているとする。
【０１２１】
また、携帯端末装置Ａでは、携帯端末装置Ｂに対し、電話をかけるためのインターフェース操作Ｍがあったとする。また、以下の遠隔制御処理Ａが行なわれる前に、携帯端末装置Ａは、携帯端末装置Ｂに対し、電話をかけ続けているとする。
【０１２２】
図９は、遠隔制御処理Ａ、遠隔制御処理Ｂ、遠隔制御処理Ｔおよび遠隔制御処理Ｓのフローチャートである。図９を参照して、遠隔制御処理Ａでは、まず、ステップＳ２１１の処理が行なわれる。
【０１２３】
ステップＳ２１１では、制御部５１０が、携帯端末装置Ｂと通話可能となったか否かを判定する。ステップＳ２１１において、ＹＥＳならば、ステップＳ２１２に進む。一方、ステップＳ２１１において、ＮＯならば、再度、ステップＳ２１１の処理が行なわれる。
【０１２４】
ここでは、携帯端末装置Ｂを所持するユーザーが、携帯端末装置Ｂにおいて、携帯端末装置Ａからの電話を受けるための操作を行なうことにより、携帯端末装置Ａと、携帯端末装置Ｂとは通話可能になったとする。この場合、ステップＳ２１１において、ＹＥＳと判定され、ステップＳ２１２に進む。
【０１２５】
なお、携帯端末装置Ａと、携帯端末装置Ｂとが通話可能となった場合、携帯端末装置Ａおよび携帯端末装置Ｂは、前述した通信部５６６を使用して、互いに、データ通信も行なうことが可能となる。携帯端末装置Ａと、携帯端末装置Ｂとの間で行なわれるデータ通信は、一例として、パケット通信であるとする。当該データ通信では、音声データの授受も可能である。すなわち、携帯端末装置Ａと、携帯端末装置Ｂとの間で行なわれる通話では、パケット通信により、音声のやりとりが行なわれる。
【０１２６】
ステップＳ２１２では、制御部５１０が、表示装置探索指示を、携帯端末装置Ｂへ送信する。表示装置探索指示は、画像を表示する機能を有する装置（以下、表示装置ともいう）を探索させるための指示である。なお、コンテンツ再生装置６００は画像を表示する機能を有するので、コンテンツ再生装置６００は表示装置である。また、表示装置探索指示は、携帯端末装置Ｂと直接無線通信可能な表示装置を、携帯端末装置Ｂの近傍において探索させるための指示である。そして、ステップＳ２１２の処理は終了する。
【０１２７】
図１０は、遠隔制御処理Ａ、遠隔制御処理Ｂ、遠隔制御処理Ｔおよび遠隔制御処理Ｓにより、各装置間でやりとりされる情報（データ）等を示す図である。図１０を参照して、“コンテンツ再生装置”とは、コンテンツ再生装置６００のことである。また、“サーバー”とは、サーバー８００のことである。
【０１２８】
再び、図９を参照して、遠隔制御処理Ｂでは、まず、ステップＳ２３１の処理が行なわれる。
【０１２９】
ステップＳ２３１では、制御部５１０が、表示装置探索指示を受信したか否かを判定する。ステップＳ２３１において、ＹＥＳならば、ステップＳ２３２に進む。一方、ステップＳ２３１において、ＮＯならば、再度、ステップＳ２３１の処理が行なわれる。ここでは、表示装置探索指示を受信したとして、ステップＳ２３２に進む。
【０１３０】
ステップＳ２３２では、制御部５１０が、表示装置探索指示に応じて、近距離無線通信により、機能問合せ指示を、後述する携帯端末装置Ｂの近傍領域内に送信する。ここで、機能問合せ指示は、機能問合せ指示を受信した装置（以下、指示受信装置ともいう）に、指示受信装置が有する機能および指示受信装置の装置ＩＤを問い合わせるための指示である。ここで、装置ＩＤとは、装置を特定するためのＩＤである。
【０１３１】
ここで、近距離無線通信は、一例として、Bluetooth（登録商標）の規格に基づく無線通信であるとする。したがって、制御部５１０が送信する機能問合せ指示は、携帯端末装置Ｂの近傍領域内にしか到達しない。携帯端末装置Ｂの近傍領域は、一例として、携帯端末装置Ｂを中心として、半径１０メートルの円の領域であるとする。機能問合せ指示が送信されると、ステップＳ２３２の処理は終了する。
【０１３２】
遠隔制御処理Ｔでは、まず、ステップＳ２６１の処理が行なわれる。
ステップＳ２６１では、制御部６１０が、機能問合せ指示を受信したか否かを判定する。ステップＳ２６１において、ＹＥＳならば、ステップＳ２６２に進む。一方、ステップＳ２６１において、ＮＯならば、再度、ステップＳ２６１の処理が行なわれる。ここで、携帯端末装置Ｂの近傍領域内に、コンテンツ再生装置６００があるとする。この場合、コンテンツ再生装置６００は、機能問合せ指示を受信可能となる。そのため、制御部６１０は、機能問合せ指示を受信し、ステップＳ２６２に進む。
【０１３３】
ステップＳ２６２では、制御部６１０が、受信した機能問合せ指示に応じて、機能情報を、機能問合せ指示を自装置（コンテンツ再生装置６００）へ送信した装置（携帯端末装置Ｂ）へ送信する。
【０１３４】
ここで、送信される機能情報は、コンテンツ再生装置６００の装置ＩＤと、画像表示機能がある旨とを示す情報であるとする。画像表示機能とは、画像を表示する機能である。ここで、コンテンツ再生装置６００の装置ＩＤは、一例として、“Ｔ０１”であるとする。そして、ステップＳ２６２の処理は終了する。
【０１３５】
遠隔制御処理Ｂでは、ステップＳ２３２の処理の後、ステップＳ２３３に進む。
ステップＳ２３３では、表示装置があるか否かが判定される。具体的には、制御部５１０が、機能問合せ指示を送信してから、所定時間以内に機能情報を受信し、かつ、受信した機能情報が、画像表示機能がある旨を示すか否かを判定する。ここで、所定時間は、一例として、３０秒であるとする。ステップＳ２３３において、ＹＥＳならば、ステップＳ２３５に進む。一方、ステップＳ２３３において、ＮＯならば、後述するステップＳ２３４Ｎに進む。
【０１３６】
ここでは、制御部５１０が、機能問合せ指示を送信してから、所定時間以内に機能情報を受信し、かつ、受信した機能情報が、画像表示機能がある旨を示すとする。この場合、ステップＳ２３３において、ＹＥＳと判定され、ステップＳ２３５に進む。
【０１３７】
ステップＳ２３５では、制御部５１０が、表示装置探索通知を、自装置（携帯端末装置Ｂ）へ表示装置探索指示を送信した装置（携帯端末装置Ａ）へ送信する。表示装置探索通知は、画像を表示する機能を有する表示装置が探索された旨の通知である。すなわち、表示装置探索通知は、携帯端末装置Ｂの近傍に、通信可能な表示装置があることを示す通知である。送信される表示装置探索通知には、受信した機能情報が示す装置ＩＤ（“Ｔ０１”）が示される。そして、ステップＳ２３５の処理は終了する。
【０１３８】
遠隔制御処理Ａでは、ステップＳ２１２の処理の後、ステップＳ２１２Ｎに進む。
ステップＳ２１２Ｎでは、制御部５１０が、後述する非存在通知を受信したか否かを判定する。ステップＳ２１２Ｎにおいて、ＹＥＳならば、制御部５１０は、表示部５３０にエラーメッセージを所定時間（たとえば、５秒）表示して、この遠隔制御処理Ａは終了する。一方、ステップＳ２１２Ｎにおいて、ＮＯならば、ステップＳ２１３に進む。ここでは、非存在通知を受信してないとして、ステップＳ２１３に進む。
【０１３９】
ステップＳ２１３では、制御部５１０が、表示装置探索通知を受信したか否かを判定する。ステップＳ２１３において、ＹＥＳならば、ステップＳ２１４に進む。一方、ステップＳ２１３において、ＮＯならば、再度、ステップＳ２１２Ｎの処理が行なわれる。ここでは、表示装置探索通知を受信したとして、ステップＳ２１４に進む。
【０１４０】
ステップＳ２１４では、一覧画像表示処理ＭＡが行なわれる。一覧画像表示処理ＭＡでは、制御部５１０が、記憶部５２０に記憶されている複数のオリジナル画像データのうち、発行画像ＩＤが対応づけられている、全てのオリジナル画像データの各々から生成したサムネイル画像を配置した一覧画像を生成する。そして、制御部５１０は、生成した一覧画像を、表示部５３０に表示させる。この処理により、表示部５３０に表示される一覧画像は、一例として、図６の一覧画像ＭＧ１００であるとする。そして、ステップＳ２１５に進む。
【０１４１】
ステップＳ２１５では、制御部５１０が、選択確定操作ＭＡがあるか否かを判定する。選択確定操作ＭＡは、表示部５３０に表示されている一覧画像に配置される複数のサムネイル画像のいずれかを選択状態にし、当該選択状態を確定するためのインターフェース操作Ｍである。ここで、表示部５３０に表示されている一覧画像は、図６の一覧画像ＭＧ１００であるとする。ステップＳ２１５において、ＹＥＳならば、ステップＳ２１６に進む。一方、ステップＳ２１５において、ＮＯならば、後述するステップＳ２１９に進む。ここでは、選択確定操作ＭＡがあったとして、ステップＳ２１６に進む。
【０１４２】
ステップＳ２１６では、制御部５１０が、遠隔制御指示を、携帯端末装置Ｂへ送信する。遠隔制御指示は、選択確定操作ＭＡにより選択されたサムネイル画像のオリジナル画像を、携帯端末装置Ｂの近傍にある表示装置に表示させるための指示である。すなわち、遠隔制御指示は、表示装置を遠隔で制御するための指示である。
【０１４３】
送信される遠隔制御指示は、受信した表示装置探索通知が示す装置ＩＤ（“Ｔ０１”）を示す。また、送信される遠隔制御指示は、記憶部５２０において、選択確定操作ＭＡにより選択されたサムネイル画像に対応するオリジナル画像データに対応づけられた、発行画像ＩＤおよび蓄積データ特定ＵＲＬを示す。
【０１４４】
ここで、選択確定操作ＭＡにより選択されたサムネイル画像は、図６のサムネイル画像ＭＧ１１０であるとする。この場合、図６のサムネイル画像ＭＧ１１０のオリジナル画像データに対応づけられた発行画像ＩＤは、“Ｇ０００１”である。そして、ステップＳ２１６の処理は終了する。
【０１４５】
遠隔制御処理Ｂでは、ステップＳ２３５の処理の後、ステップＳ２３６に進む。
ステップＳ２３６では、制御部５１０が、遠隔制御指示を受信したか否かを判定する。ステップＳ２３６において、ＹＥＳならば、ステップＳ２３７に進む。一方、ステップＳ２３６において、ＮＯならば、再度、ステップＳ２３６の処理が行なわれる。ここでは、遠隔制御指示を受信したとして、ステップＳ２３７に進む。
【０１４６】
ステップＳ２３７では、制御部５１０が、受信した遠隔制御指示に基づいた処理を行なう。具体的には、制御部５１０が、制御指示を、受信した遠隔制御指示が示す装置ＩＤにより特定される、携帯端末装置Ｂの近傍にある表示装置へ送信する。送信される制御指示は、表示装置に、受信した遠隔制御指示が示す発行画像ＩＤおよび蓄積データ特定ＵＲＬにより特定されるオリジナル画像データに基づく画像を表示させるための指示である。送信される制御指示には、受信した遠隔制御指示が示す発行画像ＩＤ（“Ｇ０００１”）および蓄積データ特定ＵＲＬが示される。
【０１４７】
ここで、受信した遠隔制御指示が示す装置ＩＤは、“Ｔ０１”であるとする。この場合、装置ＩＤ“Ｔ０１”により特定される表示装置は、コンテンツ再生装置６００であるとする。この場合、上記制御指示は、携帯端末装置Ｂの近傍にあるコンテンツ再生装置６００へ送信される。そして、ステップＳ２３７の処理は終了する。
【０１４８】
遠隔制御処理Ｔでは、ステップＳ２６２の処理の後、ステップＳ２６３に進む。
ステップＳ２６３では、制御部６１０が、制御指示を受信したか否かを判定する。ステップＳ２６３において、ＹＥＳならば、ステップＳ２６４に進む。一方、ステップＳ２６３において、ＮＯならば、再度、ステップＳ２６３の処理が行なわれる。ここでは、制御指示を受信したとして、ステップＳ２６４に進む。
【０１４９】
ステップＳ２６４では、制御部６１０が、受信した制御指示に基づいた処理を行なう。具体的には、制御部６１０は、データ要求指示を、受信した制御指示が示す蓄積データ特定ＵＲＬにより特定されるオリジナル画像データを記憶しているサーバー８００へ送信する。データ要求指示は、受信した制御指示が示す発行画像ＩＤに対付けられたオリジナル画像データを要求するための指示である。送信されるデータ要求指示は、受信した制御指示が示す発行画像ＩＤ（“Ｇ０００１”）を示す。そして、ステップＳ２６４の処理は終了する。
【０１５０】
遠隔制御処理Ｓでは、まず、ステップＳ２８１の処理が行なわれる。
ステップＳ２８１では、制御部８１０が、データ要求指示を受信したか否かを判定する。ステップＳ２８１において、ＹＥＳならば、ステップＳ２８２に進む。一方、ステップＳ２８１において、ＮＯならば、再度、ステップＳ２８１の処理が行なわれる。ここでは、データ要求指示を受信したとして、ステップＳ２８２に進む。
【０１５１】
ステップＳ２８２では、データ送信処理Ｓが行なわれる。データ送信処理Ｓでは、制御部８１０が、受信したデータ要求指示が示す発行画像ＩＤにより特定されるオリジナル画像データを、記憶部８２０から読出し、読み出したオリジナル画像データを、コンテンツ再生装置６００へ送信する。そして、再度、ステップＳ２８１の処理が行なわれる。
【０１５２】
遠隔制御処理Ｔでは、ステップＳ２６４の処理の後、ステップＳ２６５に進む。
ステップＳ２６５では、制御部６１０が、オリジナル画像データを受信したか否かを判定する。ステップＳ２６５において、ＹＥＳならば、ステップＳ２６６に進む。一方、ステップＳ２６５において、ＮＯならば、再度、ステップＳ２６５の処理が行なわれる。ここでは、オリジナル画像データを受信したとして、ステップＳ２６６に進む。
【０１５３】
ステップＳ２６６では、画像表示処理Ｔが行なわれる。画像表示処理Ｔでは、制御部６１０が、受信したオリジナル画像データに基づく画像（オリジナル画像）を、表示部６３０に表示させる。
【０１５４】
そして、制御部６１０は、表示完了通知を、自装置（コンテンツ再生装置６００）へ制御指示を送信した装置（携帯端末装置Ｂ）へ送信する。表示完了通知は、指定された画像を、表示部６３０に表示したことの通知である。送信される表示完了通知は、受信した制御指示が示す発行画像ＩＤを示す。そして、再度、ステップＳ２６３の処理が行なわれる。
【０１５５】
遠隔制御処理Ｂでは、ステップＳ２３７の処理の後、ステップＳ２３８に進む。
ステップＳ２３８では、制御部５１０が、表示完了通知を受信したか否かを判定する。ステップＳ２３８において、ＹＥＳならば、ステップＳ２３９に進む。一方、ステップＳ２３８において、ＮＯならば、再度、ステップＳ２３８の処理が行なわれる。ここでは、表示完了通知を受信したとして、ステップＳ２３９に進む。
【０１５６】
ステップＳ２３９では、制御部５１０が、受信した表示完了通知を、自装置（携帯端末装置Ｂ）へ遠隔制御指示を送信した装置（携帯端末装置Ａ）へ送信（転送）する。送信される表示完了通知は、発行画像ＩＤ（たとえば、“Ｇ０００１”）を示す。
【０１５７】
遠隔制御処理Ａでは、ステップＳ２１６の処理の後、ステップＳ２１７に進む。
ステップＳ２１７では、制御部５１０が、表示完了通知を受信したか否かを判定する。ステップＳ２１７において、ＹＥＳならば、ステップＳ２１８に進む。一方、ステップＳ２１７において、ＮＯならば、再度、ステップＳ２１７の処理が行なわれる。ここでは、発行画像ＩＤを示す表示完了通知を受信したとして、ステップＳ２１８に進む。
【０１５８】
ステップＳ２１８では、制御部５１０が、表示部５３０に表示されている一覧画像において、選択確定操作ＭＡにより選択されたサムネイル画像のオリジナル画像が表示中である旨のメッセージを表示する。当該メッセージは、選択されたサムネイル画像の近傍に表示される。当該メッセージは、たとえば、「通話先の装置の近傍の表示装置で表示中」というメッセージである。
【０１５９】
ここで、ステップＳ２１８の処理が行なわれる直前に表示部５３０に表示されている一覧画像が、図６の一覧画像ＭＧ１００であるとする。この場合、ステップＳ２１８の処理により、表示部５３０に表示されている一覧画像ＭＧ１００は、以下の一覧画像ＭＧ１００Ａとなる。そして、ステップＳ２１８の処理は終了する。
【０１６０】
図１１は、一例としての一覧画像ＭＧ１００Ａを示す図である。図１１を参照して、一覧画像ＭＧ１００Ａは、図６の一覧画像ＭＧ１００と比較して、選択枠ＳＬ１０で囲まれているサムネイル画像ＭＧ１１０の下部にメッセージが表示されている点が異なる。それ以外は、一覧画像ＭＧ１００と同様なので詳細な説明は繰り返さない。
【０１６１】
表示部５３０に、一覧画像ＭＧ１００Ａが表示されることにより、携帯端末装置Ａを操作しているユーザーは、通話先の携帯端末装置Ｂの近傍にあるコンテンツ再生装置６００が、サムネイル画像ＭＧ１１０のオリジナル画像を表示していることを容易に知ることができる。
【０１６２】
再び、図９を参照して、遠隔制御処理Ａでは、ステップＳ２１８の処理の後、ステップＳ２１９に進む。
【０１６３】
ステップＳ２１９では、制御部５１０が、終了操作Ｍがあるか否かを判定する。終了操作Ｍは、遠隔制御処理Ａを終了するためのインターフェース操作Ｍである。終了操作Ｍは、たとえば、携帯端末装置Ｂとの通話を終了するためのインターフェース操作Ｍである。ステップＳ２１９において、ＹＥＳならば、制御部５１０は、表示部５３０に表示されている一覧画像を消去して、この遠隔制御処理Ａは終了する。一方、ステップＳ２１９において、ＮＯならば、再度、ステップＳ２１５の処理が行なわれる。ここでは、終了操作Ｍがなかったとして、再度、ステップＳ２１５の処理が行なわれる。
【０１６４】
ここで、携帯端末装置Ａの表示部５３０に、図１１の一覧画像ＭＧ１００Ａが表示されている状態で、サムネイル画像ＭＧ１２０を選択するための選択確定操作ＭＡがあったとする。この場合、ステップＳ２１５でＹＥＳと判定され、遠隔制御処理Ａにおいて、前述したステップＳ２１６の処理が行なわれる。
【０１６５】
そして、図９のステップＳ２３６，Ｓ２３７，Ｓ２６３，Ｓ２６４，Ｓ２８１，Ｓ２８２、Ｓ２６５，Ｓ２６６，Ｓ２３８，Ｓ２３９，Ｓ２１７，Ｓ２１８の処理が、前述したのと同様に行なわれる。
【０１６６】
これらの処理により、携帯端末装置Ｂの近傍にある表示装置としてのコンテンツ再生装置６００の表示部６３０に、サムネイル画像ＭＧ１２０のオリジナル画像が表示される。また、携帯端末装置Ａの表示部５３０に表示される一覧画像には、サムネイル画像ＭＧ１２０の下部に、図１１と同様なメッセージが表示される。
【０１６７】
次に、遠隔制御処理ＢのステップＳ２３３でＮＯと判定され、ステップＳ２３４Ｎに進む場合の処理について説明する。ステップＳ２３３でＮＯと判定される場合は、携帯端末装置Ｂの近傍に、携帯端末装置Ｂと直接無線通信可能な表示装置が存在しなかった場合である。
【０１６８】
ステップＳ２３４Ｎでは、制御部５１０が、非存在通知を、自装置（携帯端末装置Ｂ）へ表示装置探索指示を送信した装置（携帯端末装置Ａ）へ送信する。非存在通知は、自装置（携帯端末装置Ｂ）と直接無線通信可能な表示装置が存在しなかった旨の通知である。そして、再度、ステップＳ２３１の処理が行なわれる。
【０１６９】
この場合、遠隔制御処理Ａでは、ステップＳ２１２Ｎにおいて、ＹＥＳと判定され、制御部５１０は、表示部５３０にエラーメッセージを所定時間（たとえば、５秒）表示して、この遠隔制御処理Ａは終了する。エラーメッセージは、たとえば、「通話先の装置の近傍に、当該装置と通信可能な表示装置はありません」というメッセージである。
【０１７０】
以上説明したように、本実施の形態では、携帯端末装置Ａと、携帯端末装置Ｂとが通話可能である期間に、携帯端末装置Ａが、携帯端末装置Ｂの近傍にあるコンテンツ再生装置６００に、指定した画像を表示させることができる。すなわち、携帯端末装置Ａと、携帯端末装置Ｂとが通話可能である期間に、携帯端末装置Ａが、携帯端末装置Ｂを遠隔制御することにより、コンテンツ再生装置６００を制御することができる。すなわち、携帯端末装置Ａは、通信可能な携帯端末装置Ｂの近傍にあるコンテンツ再生装置６００を制御することができるという効果を奏する。
【０１７１】
ここで、携帯端末装置Ａおよび携帯端末装置Ｂを使用するユーザーを、それぞれ、ユーザーＡおよびユーザーＢとする。ユーザーＢは、携帯電話およびコンテンツ再生装置の操作が苦手なユーザーであるとする。
【０１７２】
この場合、本実施の形態によれば、ユーザーＡおよびユーザーＢが、それぞれ、携帯端末装置Ａおよび携帯端末装置Ｂを使用して通話している場合、ユーザーＡによる携帯端末装置Ａの操作により、携帯端末装置Ｂの近傍にあるコンテンツ再生装置６００に、ユーザーＡが指定した画像を表示することができる。
【０１７３】
したがって、ユーザーＢは、通話中に特別な操作をしなくても、コンテンツ再生装置６００において、ユーザーＡが指定した画像を容易に見ることができる。すなわち、利便性を向上させることができるという効果を奏する。
【０１７４】
なお、図７のステップＳ１１４の処理が行なわれることにより、発行画像ＩＤおよび蓄積データ特定ＵＲＬと対応づけて、記憶部５２０に記憶されているオリジナル画像データは、図９の遠隔制御処理Ａが行なわれる前に、当該オリジナル画像データを削除するためのインターフェース操作Ｍにより削除されていてもよい。これにより、記憶部５２０の記憶領域を確保することができる。
【０１７５】
この場合、遠隔制御処理ＡのステップＳ２１４では、一覧画像表示処理ＭＡの代わりに以下の一覧画像表示処理ＭＢが行なわれる。
【０１７６】
一覧画像表示処理ＭＢでは、制御部５１０が、記憶部５２０に記憶されている全ての発行画像ＩＤの各々に対応するオリジナル画像データを要求するための要求指示を、サーバー８００へ送信する。
【０１７７】
サーバー８００は、当該要求指示を送信すると、要求されたオリジナル画像データを、携帯端末装置Ａへ送信する。
【０１７８】
携帯端末装置Ａは、受信したオリジナル画像データを使用して、サムネイル画像を配置した一覧画像を生成し、生成した一覧画像を、表示部５３０に表示する。
【０１７９】
＜第２の実施の形態＞
第１の実施の形態では、サーバー８００を利用した処理を説明した。本実施の形態では、サーバー８００を利用しない処理について説明する。
【０１８０】
図１２は、本実施の形態におけるネットワークシステム１０００Ａの構成を示す図である。図１２を参照して、ネットワークシステム１０００Ａは、図１のネットワークシステム１０００と比較して、サーバー８００を含まない点が異なる。それ以外は、ネットワークシステム１０００と同様なので詳細な説明は繰り返さない。
【０１８１】
また、ネットワークシステム１０００Ａに含まれる携帯端末装置５００．１，５００．２、コンテンツ再生装置６００の各々の構成および機能は、第１の実施の形態において説明した構成および機能と同様なので詳細な説明は繰り返さない。
【０１８２】
以下においては、携帯端末装置５００．１および携帯端末装置５００．２を、それぞれ、携帯端末装置Ａおよび携帯端末装置Ｂともいう。
【０１８３】
（遠隔制御）
次に、携帯端末装置Ａと、携帯端末装置Ｂとが通話可能である期間に、携帯端末装置Ａと、携帯端末装置Ｂとの間で通信を行なうことにより、コンテンツ再生装置６００を制御するための処理（以下、遠隔制御処理Ｒともいう）について説明する。
【０１８４】
以下においては、遠隔制御処理Ｒにおいて、携帯端末装置Ａで行なわれる処理を、遠隔制御処理ＲＡともいう。また、遠隔制御処理Ｒにおいて、携帯端末装置Ｂで行なわれる処理を、遠隔制御処理ＲＢともいう。また、遠隔制御処理Ｒにおいて、コンテンツ再生装置６００で行なわれる処理を、遠隔制御処理ＲＴともいう。
【０１８５】
ここで、携帯端末装置Ａの記憶部５２０には、複数のオリジナル画像データが記憶されているとする。
【０１８６】
また、携帯端末装置Ａでは、携帯端末装置Ｂに対し、電話をかけるためのインターフェース操作Ｍがあったとする。また、以下の遠隔制御処理ＲＡが行なわれる前に、携帯端末装置Ａは、携帯端末装置Ｂに対し、電話をかけ続けているとする。
【０１８７】
図１３は、遠隔制御処理ＲＡ、遠隔制御処理ＲＢおよび遠隔制御処理ＲＴのフローチャートである。図１３を参照して、図９のステップ番号と同じステップ番号の処理は、第１の実施の形態で説明した処理と同様な処理が行なわれるので詳細な説明は繰り返さない。
【０１８８】
図１４は、遠隔制御処理ＲＡ、遠隔制御処理ＲＢおよび遠隔制御処理ＲＴにより、各装置間でやりとりされる情報（データ）等を示す図である。図１４を参照して、“コンテンツ再生装置”とは、コンテンツ再生装置６００のことである。
【０１８９】
再び、図１３を参照して、図１３のステップＳ２１１，Ｓ２１２，Ｓ２３１，Ｓ２３２，Ｓ２６１，Ｓ２６２，Ｓ２３３，Ｓ２３４Ｎ，Ｓ２３５，Ｓ２１２Ｎ，Ｓ２１３の処理は、図９のステップＳ２１１，Ｓ２１２，Ｓ２３１，Ｓ２３２，Ｓ２６１，Ｓ２６２，Ｓ２３３，Ｓ２３４Ｎ，Ｓ２３５，Ｓ２１２Ｎ，Ｓ２１３の処理と同様なので詳細な説明は繰り返さない。
【０１９０】
これらの処理により、携帯端末装置Ａは、装置ＩＤ“Ｔ０１”を示す表示装置探索通知を受信したとする。装置ＩＤ“Ｔ０１”は、コンテンツ再生装置６００を特定する装置ＩＤである。表示装置探索通知を受信したことにより、図１３のステップＳ２１３において、ＹＥＳと判定され、ステップＳ２１４Ｒに進む。
【０１９１】
ステップＳ２１４Ｒでは、一覧画像表示処理ＲＭＡが行なわれる。一覧画像表示処理ＲＭＡでは、制御部５１０が、記憶部５２０に記憶されている複数のオリジナル画像データの各々から生成したサムネイル画像を配置した一覧画像を生成する。そして、制御部５１０は、生成した一覧画像を、表示部５３０に表示させる。この処理により、表示部５３０に表示される一覧画像は、一例として、図６の一覧画像ＭＧ１００であるとする。
【０１９２】
ステップＳ２１５では、第１の実施の形態で説明した処理と同様な処理が行なわれるので詳細な説明は繰り返さない。ここでは、選択確定操作ＭＡがあったとして、ステップＳ２１６Ｒに進む。
【０１９３】
ステップＳ２１６Ｒでは、制御部５１０が、遠隔制御指示Ｒと、選択確定操作ＭＡにより選択されたサムネイル画像に対応するオリジナル画像データとを、携帯端末装置Ｂへ送信する。遠隔制御指示Ｒは、選択確定操作ＭＡにより選択されたサムネイル画像のオリジナル画像を、携帯端末装置Ｂの近傍にある表示装置に表示させるための指示である。すなわち、遠隔制御指示Ｒは、表示装置を遠隔で制御するための指示である。
【０１９４】
送信される遠隔制御指示Ｒは、受信した表示装置探索通知が示す装置ＩＤ（“Ｔ０１”）を示す。そして、ステップＳ２１６Ｒの処理は終了する。
【０１９５】
遠隔制御処理ＲＢでは、ステップＳ２３５の処理の後、ステップＳ２３６Ｒに進む。
ステップＳ２３６Ｒでは、制御部５１０が、遠隔制御指示Ｒおよびオリジナル画像データを受信したか否かを判定する。ステップＳ２３６Ｒにおいて、ＹＥＳならば、ステップＳ２３７Ｒに進む。一方、ステップＳ２３６Ｒにおいて、ＮＯならば、再度、ステップＳ２３６Ｒの処理が行なわれる。ここでは、遠隔制御指示Ｒおよびオリジナル画像データを受信したとして、ステップＳ２３７Ｒに進む。
【０１９６】
ステップＳ２３７Ｒでは、制御部５１０が、受信した遠隔制御指示Ｒに基づいた処理を行なう。具体的には、制御部５１０が、制御指示Ｒおよび受信したオリジナル画像データを、受信した遠隔制御指示Ｒが示す装置ＩＤにより特定される、携帯端末装置Ｂの近傍にある表示装置へ送信する。送信される制御指示Ｒは、表示装置に、オリジナル画像データに基づく画像を表示させるための指示である。
【０１９７】
ここで、受信した遠隔制御指示Ｒが示す装置ＩＤは、“Ｔ０１”であるとする。この場合、装置ＩＤ“Ｔ０１”により特定される表示装置は、コンテンツ再生装置６００であるとする。この場合、上記制御指示Ｒは、携帯端末装置Ｂの近傍にあるコンテンツ再生装置６００へ送信される。そして、ステップＳ２３７Ｒの処理は終了する。
【０１９８】
遠隔制御処理Ｔでは、ステップＳ２６２の処理の後、ステップＳ２６３Ｒに進む。
ステップＳ２６３Ｒでは、制御部６１０が、制御指示Ｒおよびオリジナル画像データを受信したか否かを判定する。ステップＳ２６３Ｒにおいて、ＹＥＳならば、ステップＳ２６６Ｒに進む。一方、ステップＳ２６３Ｒにおいて、ＮＯならば、再度、ステップＳ２６３Ｒの処理が行なわれる。ここでは、制御指示Ｒおよびオリジナル画像データを受信したとして、ステップＳ２６６Ｒに進む。
【０１９９】
ステップＳ２６６Ｒでは、画像表示処理ＲＴが行なわれる。画像表示処理ＲＴでは、制御部６１０が、受信したオリジナル画像データに基づく画像（オリジナル画像）を、表示部６３０に表示させる。
【０２００】
そして、制御部６１０は、表示完了通知Ｒを、自装置（コンテンツ再生装置６００）へ制御指示Ｒを送信した装置（携帯端末装置Ｂ）へ送信する。表示完了通知Ｒは、指定された画像を、表示部６３０に表示したことの通知である。そして、再度、ステップＳ２６３Ｒの処理が行なわれる。
【０２０１】
遠隔制御処理ＲＢでは、ステップＳ２３７Ｒの処理の後、ステップＳ２３８Ｒに進む。
ステップＳ２３８Ｒでは、制御部５１０が、表示完了通知Ｒを受信したか否かを判定する。ステップＳ２３８Ｒにおいて、ＹＥＳならば、ステップＳ２３９Ｒに進む。一方、ステップＳ２３８Ｒにおいて、ＮＯならば、再度、ステップＳ２３８Ｒの処理が行なわれる。ここでは、表示完了通知Ｒを受信したとして、ステップＳ２３９Ｒに進む。
【０２０２】
ステップＳ２３９Ｒでは、制御部５１０が、受信した表示完了通知Ｒを、自装置（携帯端末装置Ｂ）へ遠隔制御指示Ｒを送信した装置（携帯端末装置Ａ）へ送信（転送）する。
【０２０３】
遠隔制御処理Ａでは、ステップＳ２１６Ｒの処理の後、ステップＳ２１７Ｒに進む。
ステップＳ２１７Ｒでは、制御部５１０が、表示完了通知Ｒを受信したか否かを判定する。ステップＳ２１７Ｒにおいて、ＹＥＳならば、ステップＳ２１８に進む。一方、ステップＳ２１７Ｒにおいて、ＮＯならば、再度、ステップＳ２１７Ｒの処理が行なわれる。ここでは、表示完了通知Ｒを受信したとして、ステップＳ２１８に進む。
【０２０４】
ステップＳ２１８では、第１の実施の形態で説明した処理と同様な処理が行なわれるので詳細な説明は繰り返さない。この処理により、表示部５３０に表示される一覧画像は、たとえば、図１１の一覧画像ＭＧ１００Ａとなる。
【０２０５】
ステップＳ２１９では、第１の実施の形態で説明した処理と同様な処理が行なわれるので詳細な説明は繰り返さない。
【０２０６】
以上説明したように、本実施の形態では、サーバー８００を利用することなく、携帯端末装置Ａと、携帯端末装置Ｂとが通話可能である期間に、携帯端末装置Ａが、携帯端末装置Ｂの近傍にあるコンテンツ再生装置６００に、指定した画像を表示させることができる。すなわち、携帯端末装置Ａと、携帯端末装置Ｂとが通話可能である期間に、携帯端末装置Ａが、携帯端末装置Ｂを遠隔制御することにより、コンテンツ再生装置６００を制御することができる。すなわち、携帯端末装置Ａは、通信可能な携帯端末装置Ｂの近傍にあるコンテンツ再生装置６００を制御することができるという効果を奏する。
【０２０７】
ここで、携帯端末装置Ａおよび携帯端末装置Ｂを使用するユーザーを、それぞれ、ユーザーＡおよびユーザーＢとする。ユーザーＢは、携帯電話およびコンテンツ再生装置の操作が苦手なユーザーであるとする。
【０２０８】
この場合、本実施の形態によれば、ユーザーＡおよびユーザーＢが、それぞれ、携帯端末装置Ａおよび携帯端末装置Ｂを使用して通話している場合、ユーザーＡによる携帯端末装置Ａの操作により、携帯端末装置Ｂの近傍にあるコンテンツ再生装置６００に、ユーザーＡが指定した画像を表示することができる。
【０２０９】
したがって、ユーザーＢは、通話中に特別な操作をしなくても、コンテンツ再生装置６００において、ユーザーＡが指定した画像を容易に見ることができる。すなわち、利便性を向上させることができるという効果を奏する。
【０２１０】
（機能ブロック図）
図１５は、第１の実施の形態および第２の実施の形態における、携帯端末装置Ａの制御部５１０および携帯端末装置Ｂの制御部５１０の機能ブロック図である。
【０２１１】
図１５を参照して、携帯端末装置Ａの制御部５１０は、第１送信部５１１Ａと、第２受信部５１２Ａとを含む。携帯端末装置Ｂの制御部５１０は、第１受信部５１１Ｂと、探索部５１２Ｂと、第２送信部５１３Ｂと、制御部５１４Ｂとを含む。
【０２１２】
第１送信部５１１Ａは、携帯端末装置Ｂと無線通信可能な装置を、携帯端末装置Ｂの近傍において探索させるための探索指示を、携帯端末装置Ｂへ送信する。
【０２１３】
第１受信部５１１Ｂは、探索指示を受信する。探索部５１２Ｂは、受信した探索指示に基づいて、携帯端末装置Ｂと無線通信可能な装置であるコンテンツ再生装置６００を、携帯端末装置Ｂの近傍において探索するための処理を行なう。第２送信部５１３Ｂは、探索部５１２Ｂによりコンテンツ再生装置６００が探索された場合、コンテンツ再生装置６００が探索されたことを示す探索通知を、携帯端末装置Ａへ送信する。
【０２１４】
第２受信部５１２Ａは、探索通知を受信する。第１送信部５１１Ａは、第２受信部５１２Ａが探索通知を受信した場合、コンテンツ再生装置６００を制御するための制御指示を、携帯端末装置Ｂへ送信する。
【０２１５】
制御部５１４Ｂは、第１受信部５１１Ｂが制御指示を受信した場合、受信した制御指示に基づいて、コンテンツ再生装置６００を制御する。
【０２１６】
なお、携帯端末装置Ａの制御部５１０に含まれる、第１送信部５１１Ａおよび第２受信部５１２Ａの全てまたは一部は、ハードウエアで構成されてもよい。また、第１送信部５１１Ａおよび第２受信部５１２Ａの全てまたは一部は、携帯端末装置Ａの制御部５１０により実行されるプログラムのモジュールであってもよい。
【０２１７】
また、携帯端末装置Ｂの制御部５１０に含まれる、第１受信部５１１Ｂ、探索部５１２Ｂ、第２送信部５１３Ｂおよび制御部５１４Ｂの全てまたは一部は、ハードウエアで構成されてもよい。また、第１受信部５１１Ｂ、探索部５１２Ｂ、第２送信部５１３Ｂおよび制御部５１４Ｂの全てまたは一部は、携帯端末装置Ｂの制御部５１０により実行されるプログラムのモジュールであってもよい。
【０２１８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０２１９】
【図１】本実施の形態におけるネットワークシステムの構成を示す図である。
【図２】携帯端末装置の外観を正面から示した図である。
【図３】携帯端末装置の内部構成を示したブロック図である。
【図４】コンテンツ再生装置の内部構成を示したブロック図である。
【図５】サーバーの内部構成を示したブロック図である。
【図６】一例としての一覧画像を示す図である。
【図７】蓄積処理Ａおよび蓄積処理Ｓのフローチャートである。
【図８】蓄積処理Ａおよび蓄積処理Ｓにより、携帯端末装置Ａと、サーバーとの間でやりとりされる情報（データ）等を示す図である。
【図９】遠隔制御処理Ａ、遠隔制御処理Ｂ、遠隔制御処理Ｔおよび遠隔制御処理Ｓのフローチャートである。
【図１０】遠隔制御処理Ａ、遠隔制御処理Ｂ、遠隔制御処理Ｔおよび遠隔制御処理Ｓにより、各装置間でやりとりされる情報（データ）等を示す図である。
【図１１】一例としての一覧画像を示す図である。
【図１２】本実施の形態におけるネットワークシステムの構成を示す図である。
【図１３】遠隔制御処理ＲＡ、遠隔制御処理ＲＢおよび遠隔制御処理ＲＴのフローチャートである。
【図１４】遠隔制御処理ＲＡ、遠隔制御処理ＲＢおよび遠隔制御処理ＲＴにより、各装置間でやりとりされる情報（データ）等を示す図である。
【図１５】第１の実施の形態および第２の実施の形態における、異なる２つの制御部の機能ブロック図である。
【符号の説明】
【０２２０】
７０  ネットワーク、１８０，１８０Ａ  プログラム、５００，５００．１，５００．２  携帯端末装置、５１０，６１０，８１０  制御部、５２０，６２０，８２０  記憶部、５３０，６３０，８３０  表示部、５４０  入力部、５５５，５５５Ａ  記録媒体、６００  コンテンツ再生装置、８００  サーバー、１０００，１０００Ａ  ネットワークシステム。
【図１】
0005417604.tif 000002
【図２】
0005417604.tif 000003
【図３】
0005417604.tif 000004
【図４】
0005417604.tif 000005
【図５】
0005417604.tif 000006
【図６】
0005417604.tif 000007
【図７】
0005417604.tif 000008
【図８】
0005417604.tif 000009
【図９】
0005417604.tif 000010
【図１０】
0005417604.tif 000011
【図１１】
0005417604.tif 000012
【図１２】
0005417604.tif 000013
【図１３】
0005417604.tif 000014
【図１４】
0005417604.tif 000015
【図１５】
0005417604.tif 000016